(57)【特許請求の範囲】
【請求項１】
繊維製品の制電性能を示す制電性能値を計測する制電性能計測手段と、
前記制電性能計測手段によって計測された前記制電性能値が所定条件を満たしているか否かを判定する制電性能判定手段と、
前記制電性能判定手段によって前記制電性能値が前記所定条件を満たしていないと判定されたときに、前記制電性能値が前記所定条件を満たしていない旨を報知する制電性能報知手段とを備える、繊維製品管理装置。
【請求項２】
繊維製品の制電性能を示す制電性能値の入力を受付ける制電性能値入力手段と、
前記制電性能値入力受付手段によって受付けられた前記制電性能値が所定条件を満たしているか否かを判定する制電性能判定手段と、
前記制電性能判定手段によって前記制電性能値が前記所定条件を満たしていないと判定されたときに、前記制電性能値が前記所定条件を満たしていない旨を報知する制電性能報知手段とを備える、繊維製品管理装置。
【請求項３】
前記繊維製品の洗濯回数を前記繊維製品を識別するための識別情報と対応させて記憶する洗濯回数記憶手段と、
前記繊維製品の洗濯ごとに、当該繊維製品の識別情報に対応して前記洗濯回数記憶手段に記憶されている洗濯回数を加算する洗濯回数加算手段とをさらに備え、
前記制電性能報知手段は、前記所定条件を満たしていない制電性能値に対応する識別情報に対応して前記洗濯回数記憶手段に記憶されている洗濯回数をさらに報知する、請求項１または請求項２に記載の繊維製品管理装置。
【請求項４】
前記制電性能計測手段は、前記繊維製品の前記制電性能値を洗濯ごとに計測し、
前記制電性能計測手段によって計測された前記制電性能値を当該繊維製品を識別可能なように記憶する制電性能記憶手段をさらに備える、請求項１に記載の繊維製品管理装置。
【請求項５】
前記制電性能値入力手段は、前記繊維製品の前記制電性能値の入力を洗濯ごとに受付け、
前記制電性能値入力手段によって受付けられた前記制電性能値を当該繊維製品を識別可能なように記憶する制電性能記憶手段をさらに備える、請求項２に記載の繊維製品管理装置。
【請求項６】
前記制電性能記憶手段は、データの読み書きが可能な記録媒体であり、前記繊維製品に取付けられることにより当該繊維製品を識別可能である、請求項４または請求項５に記載の繊維製品管理装置。
【請求項７】
前記制電性能記憶手段に記憶された洗濯ごとの前記制電性能値に基づいて、前記制電性能値の統計値を算出する制電性能統計値算出手段をさらに備える、請求項４から請求項６までのいずれかに記載の繊維製品管理装置。
【請求項８】
前記制電性能記憶手段に記憶された洗濯ごとの前記制電性能値に基づいて、前記制電性能値が前記所定条件を満たさなくなるまでの当該繊維製品の残洗濯回数を予測する残洗濯回数予測手段をさらに備える、請求項４から請求項７までのいずれかに記載の繊維製品管理装置。
【請求項９】
前記残洗濯回数予測手段によって予測された残洗濯回数および当該残洗濯回数に対応する前記繊維製品を特定する特定情報を報知する残洗濯回数報知手段をさらに備える、請求項８に記載の繊維製品管理装置。
【請求項１０】
前記残洗濯回数予測手段によって予測された残洗濯回数が所定回数未満となった前記繊維製品を発注する繊維製品発注手段をさらに備える、請求項８に記載の繊維製品管理装置。
【請求項１１】
前記制電性能値は、前記繊維製品の表面抵抗値、および、前記繊維製品の表面電位である、請求項１から請求項１０までのいずれかに記載の繊維製品管理装置。
【請求項１２】
前記繊維製品は、前記制電性能の劣化が緩やかな繊維製品である、請求項１から請求項１１までのいずれかに記載の繊維製品管理装置。
【請求項１３】
繊維製品のリネン業者に備えられ、前記繊維製品の制電性能を示す制電性能値を洗濯ごとに計測する制電性能計測手段と、
前記繊維製品を製造する繊維製品製造業者に備えられ、前記制電性能計測手段によって計測された前記制電性能値が所定条件を満たしているか否かを判定する制電性能判定手段と、
前記繊維製品製造業者に備えられ、前記制電性能判定手段によって前記制電性能値が前記所定条件を満たしていないと判定されたときに、当該制電性能値に対応する繊維製品の回収を前記リネン業者に指示する繊維製品回収指示手段とを備える、繊維製品管理システム。
【請求項１４】
繊維製品のリネン業者に備えられ、前記繊維製品の制電性能を示す制電性能値を洗濯ごとに計測する制電性能計測手段と、
前記繊維製品を製造する繊維製品製造業者に備えられ、前記制電性能計測手段によって計測された前記制電性能値を当該繊維製品を識別可能なように記憶する制電性能記憶手段と、
前記繊維製品製造業者に備えられ、前記制電性能記憶手段に記憶された洗濯ごとの前記制電性能値に基づいて、前記制電性能値が前記所定条件を満たさなくなるまでの当該繊維製品の残洗濯回数を予測する残洗濯回数予測手段と、
前記繊維製品製造業者に備えられ、前記残洗濯回数予測手段によって予測された残洗濯回数が所定回数未満となった前記繊維製品の製造を前記繊維製品製造業者に指示する繊維製品製造指示手段とを備える、繊維製品管理システム。
【発明の詳細な説明】
【技術分野】
【０００１】
本発明は、繊維製品管理装置、および、繊維製品管理システムに関し、特に、繊維製品の性能の保証に適した繊維製品管理装置、および、繊維製品管理システムに関する。
【背景技術】
【０００２】
従来から、半導体など電子部品の製造メーカーにおいては、製造中の電子部品の電気的破損を防止するために、静電気の帯電を防止する対策が重要となっている。この静電気対策の１つとして、製造現場の作業員が着用する作業服に、制電性能が高い制電作業服が用いられている。
【０００３】
近年、このような制電作業服の耐久性および制電性能が益々向上している。制電作業服の耐久性および制電性能は、制電作業服の洗濯ごとに劣化する。このように、耐久性および制電性能が向上することによって、ＩＥＣ（International Electrotechnical Commission、国際電気標準会議）規格６１３４０−５（静電気現象からの電子デバイスの保護〜一般要求事項）に定められている制電作業服の表面抵抗や表面電位などの制電性能の範囲を満たさなくなるまでの制電可能洗濯回数が増加する。
【０００４】
この制電可能洗濯回数が少ない場合は、制電可能洗濯回数の分散は通常小さい。このため、制電可能洗濯回数の平均値を予め求めておき、この平均値に基づいて、制電作業服の寿命を判断しても、さほど誤差は生じない。
【０００５】
しかし、制電可能洗濯回数が多い場合は、制電可能洗濯回数の分散が大きくなる。このため、制電可能洗濯回数の平均値を予め求めておいて、この平均値に基づいて、制電作業服の寿命を判断すると、安全率の取り方によっては、まだ十分制電性能が残っているのに寿命であると判断することとなったり、制電性能が限界に達しているのにまだ使えると判断することとなったりするといった問題が生じる。
【０００６】
このため、制電性能が高い制電作業服の恩恵を十分に享受するためには、制電作業服の制電性能の管理が重要となる。
【０００７】
特許文献１には、レンタル用衣類にデータタグを付して、レンタル用衣類の意図がほつれたり、ボタンが破損して修理したときは、データタグに衣類の修理履歴を書込み、レンタル用衣類が寿命となって廃棄する際は、データタグに記憶されている衣類の修理履歴に基づいてほつれが発生し易い部位あるいは破損し易いボタンが分かり、次の製品の製造に反映することができるレンタル用衣類管理システムが開示されている（たとえば、特許文献１の第０００５段落参照）。
【特許文献１】特開２００１−２６１１１７号公報
【発明の開示】
【発明が解決しようとする課題】
【０００８】
しかし、特許文献１に開示されているレンタル用衣類管理システムによれば、次の製品に修理履歴を反映させることはできるが、現状の製品の性能を保証することはできないといった問題がある。
【０００９】
この発明は上述の問題点を解決するためになされたもので、この発明の目的の１つは、繊維製品の性能を保証することが可能な繊維製品管理装置、および、繊維製品管理システムを提供することである。
【課題を解決するための手段】
【００１０】
上述した課題を解決するために、この発明のある局面に従えば、繊維製品管理装置は、制電性能計測部と、制電性能判定部と、制電性能報知部とを備える。制電性能計測部は、繊維製品の制電性能を示す制電性能値を計測する。制電性能判定部は、制電性能計測部によって計測された制電性能値が所定条件を満たしているか否かを判定する。制電性能報知部は、制電性能判定部によって制電性能値が所定条件を満たしていないと判定されたときに、制電性能値が所定条件を満たしていない旨を報知する。
【００１１】
この発明によれば、繊維製品管理装置によって、繊維製品の制電性能を示す制電性能値が計測され、計測された制電性能値が所定条件を満たしているか否かが判定され、制電性能値が所定条件を満たしていないと判定されたときに、制電性能値が所定条件を満たしていない旨が報知される。このため、制電性能値が所定条件を満たさない繊維製品をユーザに提供しないようにできる。その結果、繊維製品の性能を保証することが可能な繊維製品管理装置を提供することができる。
【００１２】
この発明の他の局面に従えば、繊維製品管理装置は、制電性能値入力部と、制電性能判定部と、制電性能報知部とを備える。制電性能値入力部は、繊維製品の制電性能を示す制電性能値の入力を受付ける。制電性能判定部は、制電性能値入力部によって受付けられた制電性能値が所定条件を満たしているか否かを判定する。制電性能報知部は、制電性能判定部によって制電性能値が所定条件を満たしていないと判定されたときに、制電性能値が所定条件を満たしていない旨を報知する。
【００１３】
この発明によれば、繊維製品管理装置によって、繊維製品の制電性能を示す制電性能値の入力が受付けられ、受付けられた制電性能値が所定条件を満たしているか否かが判定され、制電性能値が所定条件を満たしていないと判定されたときに、制電性能値が所定条件を満たしていない旨が報知される。このため、制電性能値が所定条件を満たさない繊維製品をユーザに提供しないようにできる。その結果、繊維製品の性能を保証することが可能な繊維製品管理装置を提供することができる。
【００１４】
好ましくは、繊維製品管理装置は、選択回数記憶部と、選択回数加算部とをさらに備える。洗濯回数記憶部は、繊維製品の洗濯回数を繊維製品を識別するための識別情報と対応させて記憶する。洗濯回数加算部は、繊維製品の洗濯ごとに、当該繊維製品の識別情報に対応して洗濯回数記憶部に記憶されている洗濯回数を加算する。制電性能報知部は、所定条件を満たしていない制電性能値に対応する識別情報に対応して洗濯回数記憶部に記憶されている洗濯回数をさらに報知する。
【００１５】
この発明によれば、繊維製品管理装置によって、繊維製品の洗濯回数が繊維製品を識別するための識別情報と対応されて記憶され、繊維製品の洗濯ごとに、この繊維製品の識別情報に対応して記憶されている洗濯回数が加算され、所定条件を満たしていない制電性能値に対応する識別情報に対応して記憶されている洗濯回数がさらに報知される。このため、洗濯回数が予め保証されている洗濯回数を満たしているか否かを確認することができる。
【００１６】
好ましくは、制電性能計測部は、繊維製品の制電性能値を洗濯ごとに計測する。繊維製品管理装置は、制電性能計測部によって計測された制電性能値をこの繊維製品を識別可能なように記憶する制電性能記憶部をさらに備える。
【００１７】
この発明によれば、繊維製品管理装置によって、繊維製品の制電性能値が洗濯ごとに計測され、計測された制電性能値がこの繊維製品を識別可能なように記憶される。このため、繊維製品ごとに洗濯ごとの制電性能値を後で確認することができる。
【００１８】
好ましくは、制電性能値入力部は、繊維製品の制電性能値の入力を洗濯ごとに受付ける。繊維製品管理装置は、制電性能値入力部によって受付けられた制電性能値をこの繊維製品を識別可能なように記憶する制電性能記憶部をさらに備える。
【００１９】
この発明によれば、繊維製品管理装置によって、繊維製品の制電性能値の入力が洗濯ごとに受付けられ、受付けられた制電性能値がこの繊維製品を識別可能なように記憶される。このため、繊維製品ごとに洗濯ごとの制電性能値を後で確認することができる。
【００２０】
さらに好ましくは、制電性能記憶部は、データの読み書きが可能な記録媒体であり、繊維製品に取付けられることにより、この繊維製品を識別可能である。
【００２１】
この発明によれば、繊維製品管理装置側に制電性能記憶部を設けておかなくても、計測された制電性能値をこの繊維製品を識別可能なように記憶しておくことができる。
【００２２】
さらに好ましくは、繊維製品管理装置は、制電性能記憶部に記憶された洗濯ごとの制電性能値に基づいて、制電性能値の統計値を算出する制電性能統計値算出部をさらに備える。
【００２３】
この発明によれば、繊維製品管理装置によって、繊維製品の制電性能値の統計的に解析可能なデータを提供することができる。
【００２４】
さらに好ましくは、繊維製品管理装置は、制電性能記憶部に記憶された洗濯ごとの制電性能値に基づいて、制電性能値が所定条件を満たさなくなるまでの当該繊維製品の残洗濯回数を予測する残洗濯回数予測部をさらに備える。
【００２５】
この発明によれば、繊維製品管理装置によって、制電性能値が所定条件を満たさなくなるまでの繊維製品ごとの残洗濯回数を予測することができる。
【００２６】
さらに好ましくは、繊維製品管理装置は、残洗濯回数予測部によって予測された残洗濯回数および当該残洗濯回数に対応する繊維製品を特定する特定情報を報知する残洗濯回数報知部をさらに備える。
【００２７】
この発明によれば、繊維製品管理装置によって、繊維製品ごとの残洗濯回数を報知することができる。
【００２８】
さらに好ましくは、繊維製品管理装置は、残洗濯回数予測部によって予測された残洗濯回数が所定回数未満となった繊維製品を発注する繊維製品発注部をさらに備える。
【００２９】
この発明によれば、制電性能値が所定条件を満たさなくなる前に予め繊維製品を製造しておくことができる。
【００３０】
好ましくは、制電性能値は、繊維製品の表面抵抗値、および、繊維製品の表面電位である。
【００３１】
好ましくは、繊維製品は、制電性能の劣化が緩やかな繊維製品である。
この発明によれば、繊維製品管理装置によって、制電性能の管理がより重要な制電性能の劣化が緩やかな繊維製品の制電性能を管理することができる。
【００３２】
この発明のさらに他の局面に従えば、繊維製品管理システムは、繊維製品のリネン業者に備えられる制電性能計測部と、繊維製品を製造する繊維製品製造業者に備えられる制電性能判定部と、繊維製品製造業者に備えられる繊維製品回収指示部とを備える。
【００３３】
制電性能計測部は、繊維製品の制電性能を示す制電性能値を洗濯ごとに計測する。制電性能判定部は、制電性能計測部によって計測された制電性能値が所定条件を満たしているか否かを判定する。繊維製品回収指示部は、制電性能判定部によって制電性能値が所定条件を満たしていないと判定されたときに、当該制電性能値に対応する繊維製品の回収をリネン業者に指示する。
【００３４】
この発明によれば、繊維製品管理システムによって、繊維製品の制電性能を示す制電性能値が洗濯ごとに計測され、計測された制電性能値が所定条件を満たしているか否かが判定され、制電性能値が所定条件を満たしていないと判定されたときに、その制電性能値に対応する繊維製品の回収がリネン業者に指示される。このため、繊維製品の性能を保証することが可能な繊維製品管理システムを提供することができる。
【００３５】
この発明のさらに他の局面に従えば、繊維製品管理システムは、繊維製品のリネン業者に備えられる制電性能計測部と、繊維製品を製造する繊維製品製造業者に備えられる制電性能記憶部と、繊維製品製造業者に備えられる残洗濯回数予測部と、繊維製品製造業者に備えられる繊維製品製造指示部とを備える。
【００３６】
制電性能計測部は、繊維製品の制電性能を示す制電性能値を洗濯ごとに計測する。制電性能記憶部は、制電性能計測部によって計測された制電性能値を当該繊維製品を識別可能なように記憶する。残洗濯回数予測部は、制電性能記憶部に記憶された洗濯ごとの制電性能値に基づいて、制電性能値が所定条件を満たさなくなるまでの当該繊維製品の残洗濯回数を予測する。繊維製品製造指示部は、残洗濯回数予測部によって予測された残洗濯回数が所定回数未満となった繊維製品の製造を指示する。
【００３７】
この発明によれば、繊維製品管理システムによって、繊維製品の制電性能を示す制電性能値が洗濯ごとに計測され、計測された制電性能値がその繊維製品を識別可能なように記憶され、記憶された洗濯ごとの制電性能値に基づいて、制電性能値が所定条件を満たさなくなるまでのその繊維製品の残洗濯回数が予測され、予測された残洗濯回数が所定回数未満となった繊維製品の製造が繊維製品製造業者に指示される。このため、繊維製品の性能を保証することが可能な繊維製品管理システムを提供することができる。
【発明を実施するための最良の形態】
【００３８】
以下、この発明の実施の形態について、図面を参照しながら詳細に説明する。なお、図中の同一または相当部分については、同一符号を付してその説明は繰返さない。
【００３９】
図１は、この発明の実施の形態における繊維製品管理システム１の構成の概略を示す図である。
【００４０】
図１を参照して、繊維製品管理システム１は、繊維製品製造業者１０に備えられる繊維製品管理サーバ１００と、リネン業者２０に備えられる制電性能計測装置２００とを含む。繊維製品管理サーバ１００は、繊維製品データベース（以下、「繊維製品ＤＢ」という）１６１を備える。
【００４１】
繊維製品製造業者１０は、耐久制電性能を有する布帛１１を製造し、製造した布帛１１から耐久制電作業服１２を製造する。次に、繊維製品製造業者１０は、製造した耐久制電作業服１２にＩＣタグ１２１を縫い込み、繊維製品管理サーバ１００によって、後述する所定のデータをＩＣタグ１２１に書込む。そして、繊維製品製造業者１０は、耐久制電作業服１２を半導体製造メーカ３０に使用させるために、ＩＣタグ１２１が縫い込まれた耐久制電作業服１２をリネン業者２０に供給する。
【００４２】
なお、本実施の形態においては、繊維製品製造業者１０を１つの業者で構成されていることとするが、これに限定されず、繊維製品製造業者１０は、複数の業者で構成されていてもよい。たとえば、繊維製品製造業者１０が、布帛１１を製造する布帛製造業者、布帛１１に所定の染色仕上げを施す染色仕上げ加工業者、および、布帛１１から繊維製品を製造する縫製業者から構成されていてもよい。
【００４３】
また、本実施の形態においては、繊維製品は、耐久制電作業服１２として説明するが、これに限定されず、制電性能が必要な帽子、軍手、下着、靴下など他の繊維製品であってもよいし、制電性能が特に必要でない繊維製品であってもよい。
【００４４】
リネン業者２０は、繊維製品製造業者１０から供給された耐久制電作業服１２を半導体製造メーカ３０に貸出す。半導体製造メーカ３０は、リネン業者２０から貸出された耐久制電作業服１２を作業者に着用させる。その後、半導体製造メーカ３０は、使用済みの耐久制電作業服１２をリネン業者に返却する。リネン業者２０は、半導体製造メーカ３０から返却された耐久制電作業服１２を洗濯して、洗濯済みの耐久制電作業服１２を半導体製造メーカ３０に再び貸出す。
【００４５】
リネン業者２０は、制電性能計測装置２００の計測部２３１によって、洗濯済みの耐久制電作業服１２の制電性能を計測する。また、リネン業者２０は、制電性能計測装置２００によって、後述する所定のデータをＩＣタグ１２１から読出したり、ＩＣタグ１２１に書込んだりする。
【００４６】
なお、本実施の形態においては、繊維製品製造業者１０およびリネン業者２０をそれぞれ独立した業者として説明するが、これに限定されず、繊維製品製造業者１０およびリネン業者２０は、１つの業者で構成されていてもよい。
【００４７】
また、本実施の形態においては、リネン業者２０が耐久制電作業服１２を所有して、半導体製造メーカ３０に貸出すようにする。しかし、これに限定されず、半導体製造メーカ３０が耐久制電作業服１２を所有して、リネン業者２０は半導体製造メーカ３０から耐久制電作業服１２を受取って洗濯するようにしてもよい。
【００４８】
半導体製造メーカ３０は、後述するように、パーソナルコンピュータ（以下、「ＰＣ」という）３００を用いて、耐久制電作業服１２に関する情報を閲覧することができる。なお、本実施の形態においては、耐久制電作業服１２を使用する者は、半導体製造メーカ３０であるとして説明するが、これに限定されず、耐久制電作業服１２を使用する者は、他の者であってもよい。
【００４９】
繊維製品製造業者１０の繊維製品管理サーバ１００、リネン業者２０の制電性能計測装置２００、および、半導体製造メーカ３０のＰＣ３００は、それぞれ、インターネットなどのネットワーク５００を介して接続される。
【００５０】
図２は、この発明の実施の形態における繊維製品管理サーバ１００の構成の概略を示すブロック図である。
【００５１】
図２を参照して、繊維製品管理サーバ１００は、制御部１１０と、記憶部１２０と、入力部１３０と、出力部１４０と、通信部１５０と、外部記憶装置１６０と、ＩＣリーダライタ１７０とを含む。制御部１１０、記憶部１２０、入力部１３０、出力部１４０、通信部１５０、外部記憶装置１６０、および、ＩＣリーダライタ１７０は、互いにバスで接続される。繊維製品管理サーバ１００は、ＰＣやワークステーションで構成することができる。
【００５２】
制御部１１０は、ＣＰＵ（Central Processing Unit）およびＣＰＵの周辺回路で構成される。制御部１１０は、記憶部１２０に記憶されたプログラムに従って、記憶部１２０、入力部１３０、通信部１５０、外部記憶装置１６０、または、ＩＣリーダライタ１７０から入力されたデータを処理して、記憶部１２０、出力部１４０、通信部１５０、外部記憶装置１６０、または、ＩＣリーダライタ１７０に、処理されたデータを出力する。
【００５３】
記憶部１２０は、半導体素子で電気的に記録を行なうＲＡＭ（Random Access Memory）およびＲＯＭ（Read Only Memory）のメモリで構成される。また、外部記憶装置１６０のハードディスクの記憶領域の一部が仮想的なメモリとして用いられる場合がある。記憶部１２０は、制御部１１０で実行されるプログラム、プログラムの処理対象のデータ、プログラムが実行されるときの一時的なデータ、および、プログラムの実行結果のデータを記憶する。
【００５４】
入力部１３０は、キーボードおよびマウスの入力装置で構成される。入力部１３０は、ユーザからのデータの入力を受付けて、受付けたデータを制御部１１０に出力する。
【００５５】
出力部１４０は、ディスプレイおよびプリンタの出力装置で構成される。出力部１４０は、制御部１１０から受けた情報をユーザに報知するために、情報を画像として表示したり、情報を紙に印刷したりすることによって、情報を出力する。
【００５６】
通信部１５０は、ターミナルアダプタまたはモデムの通信装置で構成される。通信部１５０は、制御部１１０から受けたデータをネットワーク５００を介して他のコンピュータに送信したり、他のコンピュータからネットワーク５００を介して受信したデータを制御部１１０に出力したりする。
【００５７】
外部記憶装置１６０は、ハードディスクドライブ、フロッピー（登録商標）ディスクドライブ、ＭＯ（Magneto-Optical disk）ドライブ、ＣＤ（Compact Disc）ドライブ、または、ＤＶＤ（Digital Versatile Disk）ドライブなどの記憶装置で構成される。外部記憶装置１６０は、制御部１１０から受けた所定のデータまたはプログラムを記録媒体に磁気的または光学的に記録したり、記録媒体から読出して制御部１１０に受け渡したりする。記録媒体としては、フロッピー（登録商標）ディスク、ＭＯ、ＣＤ−ＲＯＭ、ＣＤ−Ｒ、ＣＤ−ＲＷ、ＤＶＤ−ＲＯＭ、ＤＶＤ−Ｒ，ＤＶＤ−ＲＷ、ＤＶＤ−ＲＡＭ、ＤＶＤ＋Ｒ、ＤＶＤ＋ＲＷなどがある。
【００５８】
外部記憶装置１６０は、繊維製品ＤＢ１６１を含む。なお、本実施の形態においては、繊維製品ＤＢ１６１は、繊維製品管理サーバ１００に含まれることとするが、これに限定されず、繊維製品ＤＢ１６１は、繊維製品管理サーバ１００と異なるコンピュータに含まれるようにして、繊維製品ＤＢ１６１に記憶されているデータが繊維製品管理サーバ１００から遠隔的に読み書き可能なように構成してもよい。
【００５９】
ＩＣリーダライタ１７０は、制御部１１０から受けたデータを無線でＩＣタグ１２１に書込んだり、ＩＣタグ１２１から無線で読込んだデータを制御部１１０に出力したりする。
【００６０】
図３は、この発明の実施の形態における制電性能計測装置２００の構成の概略を示すブロック図である。
【００６１】
図３を参照して、制電性能計測装置２００は、制御部２１０と、記憶部２２０と、入力部２３０と、出力部２４０と、通信部２５０と、外部記憶措置２６０と、ＩＣリーダライタ２７０とを含む。制御部２１０、記憶部２２０、入力部２３０、出力部２４０、通信部２５０、外部記憶装置２６０、および、ＩＣリーダライタ２７０は、互いにバスで接続される。制電性能計測装置２００は、ＰＣやワークステーションで構成することができる。
【００６２】
制御部２１０、記憶部２２０、入力部２３０、出力部２４０、通信部２５０、外部記憶装置２６０、および、ＩＣリーダライタ２７０の機能は、それぞれ、図１で説明した制御部１１０、記憶部１２０、入力部１３０、出力部１４０、通信部１５０、外部記憶装置１６０、および、ＩＣリーダライタ１７０の機能と同様であるので、重複する説明は繰返さない。
【００６３】
入力部２３０は、計測部２３１を含む。計測部２３１は、耐久制電作業服１２の制電性能を計測して、計測値である制電性能値を制御部２１０に受け渡す。なお、本実施の形態においては、計測部２３１で計測された制電性能値が、計測部２３１から直接、制御部２１０に受け渡される場合について説明するが、これに限定されず、計測器で計測した値が入力部２３０のキーボードなどから入力されることによって、計測器から間接的に制御部２１０に受け渡されるようにしてもよい。
【００６４】
図４は、この発明の実施の形態におけるパーソナルコンピュータ３００の構成の概略を示すブロック図である。
【００６５】
図４を参照して、ＰＣ３００は、制御部３１０と、記憶部３２０と、入力部３３０と、出力部３４０と、通信部３５０と、外部記憶装置３６０とを含む。制御部３１０、記憶部３２０、入力部３３０、出力部３４０、通信部３５０、および、外部記憶装置３６０は、互いにバスで接続される。
【００６６】
制御部３１０、記憶部３２０、入力部３３０、出力部３４０、通信部３５０、および、外部記憶装置３６０の機能は、それぞれ、図１で説明した制御部１１０、記憶部１２０、入力部１３０、出力部１４０、通信部１５０、および、外部記憶装置１６０の機能と同様であるので、重複する説明は繰返さない。
【００６７】
図５は、この発明の実施の形態における耐久制電作業服１２の洗濯処理回数と表面抵抗率との関係の一例を示すグラフである。
【００６８】
図５を参照して、表面抵抗率とは、ＪＩＳ（Japanese Industrial Standard）Ｋ６９１１に定義されているように、試料の単位表面積当りの抵抗を表わす。表面抵抗率の単位は、Ωであるが、単なる抵抗と区別するため、Ω／□またはΩ／ｓｑが用いられる。試料は、２３℃５０％ＲＨ（Relative Humidity、相対湿度）環境下で２４時間以上調温調湿したものが用いられる。表面抵抗率は、試料をテフロン（登録商標）製テーブル上に置き、試料の裏面から電流が漏洩しないようにして、試料測定面に電極を押し当てて、電圧１００Ｖを試料に印加した時の値として計測される。計測されたデータは、制電性能計測装置２００に入力される。
【００６９】
ＩＥＣ規格６１３４０−５に定められている表面抵抗率ρｓの基準は、１×１０5＜ρｓ≦１×１０12（Ω／□）である。このため、静電気現象から電子デバイスを保護するためには、耐久制電作業服１２の表面抵抗率ρｓがこの基準の範囲内であることが必要である。表面抵抗率は、図５のグラフで示すように、洗濯処理回数に応じて増加する。
【００７０】
本実施の形態における耐久制電作業服１２の表面抵抗率は、ＩＥＣ６１３４０−５の基準の下限である１×１０6Ω／□を上回る１×１０11Ω／□を超える値から、洗濯処理の回数に応じて徐々に増加し、１００回洗濯処理を行なったときでも、ＩＥＣ６１３４０−５の基準の上限である１×１０12Ω／□を下回っている。
【００７１】
図６は、この発明の実施の形態における耐久制電作業服１２の洗濯処理回数と表面電位との関係の一例を示すグラフである。
【００７２】
図６を参照して、表面電位は、試料の表面の電位を表わす。表面電位の単位は、Ｖである。試料は、２３℃５０％環境下で２４時間以上調温調湿したものが用いられる。表面電位は、試料をポリエステル製のハンガーに吊るし、表面をアクリル板で３秒間擦過し帯電させた後、表面電位計を用いて計測される。計測されたデータは、制電性能計測装置２００に入力される。
【００７３】
ＩＥＣ規格６１３４０−５に定められている表面電位の基準は、±１００Ｖ未満である。このため、静電気現象から電子デバイスを保護するためには、耐久制電作業服１２の表面電位がこの基準の範囲内であることが必要である。表面電位は、図５のグラフで示すように、洗濯処理回数に応じて増加する。
【００７４】
本実施の形態における耐久制電作業服１２の表面電位は、ＩＥＣ６１３４０−５の基準の下限である−１００Ｖを上回る２０Ｖ程度の値から、洗濯処理の回数に応じて徐々に増加し、５０回洗濯処理を行なったときでも、ＩＥＣ６１３４０−５の基準の上限である＋１００Ｖを下回っている。
【００７５】
また、電位減衰は、試料の電位が減衰する時間を表わす。電位減衰の単位は、秒である。試料は、２３℃５０％環境下で２４時間以上調温調湿したものが用いられる。電位減衰は、試料をスタティックオネストメータ（ＪＩＳ  Ｌ１０９４準拠）に設置し、１０Ｖを３０秒印加した後、初期電位の１／１０の値となる経過時間として計測される。計測されたデータは、制電性能計測装置２００に入力される。
【００７６】
なお、表面抵抗率、表面電位、および、電位減衰は、耐久制電作業服１２に用いられている布帛の種類や厚さなどによって異なる値を示す。
【００７７】
図７は、この発明の実施の形態における繊維製品管理サーバ１００で実行される繊維製品管理処理の流れを示すフローチャートである。
【００７８】
図７を参照して、繊維製品管理処理において、まず、ステップＳ１１１で、繊維製品管理サーバ１００の制御部１１０は、繊維製品管理処理のメニューを表示するように、出力部１４０を制御する。
【００７９】
図８は、この発明の実施の形態における繊維製品管理処理のメニューを示す表示画面図である。
【００８０】
図８を参照して、繊維製品管理処理のメニューである繊維製品管理メニューの表示画面には、この画面の名称である「繊維製品管理メニュー」の文字と、ＩＣタグ１２１に所定の情報を書込む処理を選択するための選択肢である「１．ＩＣタグ書込み」の文字と、繊維製品ＤＢ１６１に記録されたデータを表示させる処理を選択するための選択肢である「２．データ表示」の文字とが表示される。
【００８１】
図７に戻って、ステップＳ１２１で、制御部１１０は、「ＩＣタグ書込み」の選択肢が選択されたか否かを判断する。「ＩＣタグ書込み」の選択肢が選択されたと判断した場合（ステップＳ１２１でＹＥＳの場合）、ステップＳ１２２で、制御部１１０は、その耐久制電作業服１２に割振られた通番と、その耐久制電作業服１２および耐久制電作業服１２の素材である布帛１１の製造時の発注番号や品番や経由した工程名称やその工程における生産条件や試験データなどの製造情報と、その耐久制電作業服１２の出荷日と、その耐久制電作業服１２の出荷時の制電性能その他の性能と、その耐久制電作業服１２に用いられた布帛の種類である生地種類と、その耐久制電作業服１２の推奨される洗濯条件とを、ＩＣタグ１２１に書込むように、ＩＣリーダライタ１７０を制御する。
【００８２】
なお、本実施の形態においては、繊維製品製造業者によって、前述した情報がＩＣタグ１２１に書込まれるようにするが、これに限定されず、その耐久制電作業服１２に関する他の情報がＩＣタグ１２１に書込まれるようにしてもよい。
【００８３】
「ＩＣタグ書込み」の選択肢が選択されていないと判断した場合（ステップＳ１２１でＮＯの場合）、または、ステップＳ１２２の後、ステップＳ１３１で、制御部１１０は、制電性能計測装置２００から耐久制電作業服１２の計測データを受信したか否かを判断する。計測データには、後述するように、表面抵抗率、表面電位、および、電位減衰の制電性能の計測値のそれぞれのデータの他、表面状態、洗濯処理回数、および、特記事項をそれぞれ示すデータが含まれる。
【００８４】
計測データを受信していないと判断した場合（ステップＳ１３１でＮＯの場合）、制御部１１０は、実行する処理をステップＳ１４１に進める。一方、計測データを受信したと判断した場合（ステップＳ１３１でＹＥＳの場合）、制御部１１０は、受信した計測データを繊維製品ごとに繊維製品ＤＢ１６１に記憶させる。
【００８５】
次に、ステップＳ１３３で、制御部１１０は、受信した計測データに含まれる制電性能の計測値の統計値を算出する。たとえば、同じロットの制電性能の平均値、標準偏差、および、分散が算出される。これによって、繊維製品製造業者１０は、耐久制電作業服１２などの繊維製品の制電性能などの性能を統計的に解析することができる。
【００８６】
そして、ステップＳ１３４で、制御部１１０は、算出された統計値および受信した計測データをそれぞれ、耐久制電作業服１２などの繊維製品ごとに閲覧可能なようにホームページに登録する。これによって、半導体製造メーカ３０は、ＰＣ３００によってホームページを閲覧することにより、自社に貸出されている耐久制電作業服１２などの繊維製品の制電性能などの情報を得ることができる。その結果、半導体製造メーカ３０は、制電性能などの情報に基づいて、半導体の製造管理を行なったり、耐久制電作業服１２などの繊維製品の選定を行なったりすることができる。
【００８７】
次いで、ステップＳ１３５で、制御部１１０は、受信した計測データに含まれる制電性能の計測値が所定条件を満たすか否かを判断する。所定条件とは、図５で説明した表面抵抗率の範囲および図６で説明した表面電位の範囲の条件である。
【００８８】
制電性能の計測値が所定条件を満たさないと判断した場合（ステップＳ１３５でＮＯの場合）、ステップＳ１３６で、制御部１１０は、制電性能の計測値が所定条件を満たさない耐久制電作業服１２の回収を指示するための回収指示情報を制電性能計測装置２００に送信するように、通信部１５０を制御する。
【００８９】
制電性能の計測値が所定条件を満たすと判断した場合（ステップＳ１３５でＹＥＳの場合）、または、ステップＳ１３６の後、ステップＳ１３７で、制御部１１０は、受信した計測データに含まれる制電性能の計測値に基づいて、制電性能の計測値が所定条件を満たさなくなるまでのその耐久制電作業服１２の残洗濯回数を予測する。予測の方法としては、様々な統計的手法を用いることができる。たとえば、過去の洗濯処理ごとの制電性能の計測値の近似曲線を求めて、制電性能の計測値が所定条件を満たさなくなるときの洗濯回数を求めて、求められた洗濯回数と現在の選択回数との差を残洗濯回数として算出することができる。
【００９０】
次に、ステップＳ１３８で、制御部１１０は、ステップＳ１３７で予測された残洗濯回数が所定回数未満であるか否かを判断する。残洗濯回数が所定回数未満であると判断した場合（ステップＳ１３８でＹＥＳの場合）、ステップＳ１３９で、制御部１１０は、その残洗濯回数に対応する耐久制電作業服１２の製造を指示するための製造指示情報を出力するように、出力部１４０を制御する。
【００９１】
なお、本実施の形態においては、繊維製品管理サーバ１００が繊維製品製造業者１０に備えられるので、繊維製品管理サーバ１００から製造指示が出力されるようにするが、繊維製品管理サーバ１００が繊維製品製造業者１０に備えられない場合は、繊維製品管理サーバ１００は耐久制電作業服１２を発注するための発注情報を繊維製品製造業者１０に出力するようにする。
【００９２】
残洗濯回数が所定回数未満でないと判断した場合（ステップＳ１３８でＮＯの場合）、または、ステップＳ１３９の後、制御部１１０は、実行する処理をステップＳ１４１に進める。
【００９３】
ステップＳ１４１では、制御部１１０は、図８で説明した繊維製品管理メニューの画面で「データ表示」の選択肢が選択されたか否かを判断する。「データ表示」の選択肢が選択されたと判断した場合（ステップＳ１４１でＹＥＳの場合）、ステップＳ１４２で、制御部１１０は、繊維製品ＤＢ１６１に記憶されている耐久制電作業服１２に関するデータを読出す。そして、ステップＳ１４３で、制御部１１０は、読出したデータをディスプレイに表示するように、出力部１４０を制御する。
【００９４】
「データ表示」の選択肢が選択されていないと判断した場合（ステップＳ１４１でＮＯの場合）、または、ステップＳ１４３の後、制御部１１０は、実行する処理をステップＳ１１１に戻す。
【００９５】
図９は、この発明の実施の形態における繊維製品管理処理で表示される耐久制電作業服１２に関するデータの表示画面を示す表示画面図である。
【００９６】
図９を参照して、ステップＳ１４３で表示される耐久制電作業服１２に関するデータの表示画面には、この耐久制電作業服１２の「通番」「出荷日」「生地種類」および「洗濯条件」が、それぞれ、「１２３４５６」、「１７年７月１日」「ＡＢＣ−１２」および「Ｗ−３」であることが表示される。なお、「ＡＢＣ−１２」は、生地の種類の品番であり、「Ｗ−３」は、予め定められた洗濯条件の番号である。
【００９７】
また、この表示画面には、この耐久制電作業服１２の「洗濯回数」ごとの「表面抵抗」率、「表面電位」「電位減衰」および「表面状態」が、それぞれ、「０」「２．０×１０11」「１２」「２．５」「Ａ」、「１」「２．５×１０11」「１３」「２．６」「Ａ」、「２」「３．０×１０11」「１４」「２．７」「Ａ」、「３」「３．５×１０11」「１５」「２．８」「Ａ」、「４」「４．０×１０11」「１６」「２．９」「Ａ」、「５」「４．５×１０11」「１７」「３．０」「Ａ」、「６」「５．０×１０11」「１８」「３．１」「Ａ」であることが表示される。なお、表面状態の「Ａ」とは、表面状態の段階がＡレベルであることを示す。また、「洗濯回数」が「０」〜「６」回目に対応する「特記事項」の欄には、何も入力されていない。
【００９８】
この「洗濯回数」「表面抵抗」率、「表面電位」「電位減衰」「表面状態」および「特記事項」の各項目に対応するデータは、この欄の右側のスクロールバーでスクロールさせることが可能である。スクロールさせることにより、「洗濯回数」が「６」回目以降のデータを表示させることができる。
【００９９】
さらに、この表示画面には、この耐久制電作業服１２の「現洗濯回数」が「９０」回であり、「予測残洗濯回数」が「３０」回であることが表示される。また、この表示画面には、前の通番の耐久制電作業服１２に関するデータを表示させるためのＧＵＩ（Graphical User Interface）ボタンである「前の通番へ」ボタンと、次の通番の耐久制電作業服１２に関するデータを表示させるためのＧＵＩボタンである「後の通番へ」ボタンと、この耐久制電作業服１２に関するデータの表示画面の表示を終了させてメニュー画面に戻るためのＧＵＩボタンである「ＯＫ」ボタンとが表示される。
【０１００】
図１０は、この発明の実施の形態における制電性能計測装置２００で実行される制電性能計測処理の流れを示すフローチャートである。
【０１０１】
図１０を参照して、制電性能計測処理において、まず、ステップＳ２１１で、制電性能計測装置２００の制御部２１０は、繊維製品計測処理のメニューを表示するように、出力部２４０を制御する。
【０１０２】
図１１は、この発明の実施の形態における繊維製品計測処理のメニューを示す表示画面図である。
【０１０３】
図１１を参照して、繊維製品計測処理のメニューである繊維製品計測メニューの表示画面には、この画面の名称である「繊維製品計測メニュー」の文字と、耐久制電作業服１２の制電性能を計測する処理を選択するための選択肢である「１．制電性能計測」の文字と、ＩＣタグ１２１に記録されているデータを表示させる処理を選択するための選択肢である「２．ＩＣデータ表示」の文字と、繊維製品計測装置２００の外部記憶装置２６０に記憶されたデータを表示させる処理を選択するための選択肢である「３．記憶データ表示」の文字とが表示される。
【０１０４】
図１０に戻って、ステップＳ２２１で、制御部２１０は、「制電性能計測」の選択肢が選択されたか否かを判断する。「制電性能計測」の選択肢が選択されていないと判断した場合（ステップＳ２２１でＮＯの場合）、制御部２１０は、実行する処理をステップＳ２３１に進める。
【０１０５】
一方、「制電性能計測」の選択肢が選択されたと判断した場合（ステップＳ２２１でＹＥＳの場合）、ステップＳ２２２で、制御部２１０は、耐久制電作業服１２のＩＣタグ１２１からこの耐久制電作業服１２の通番が読込まれたか否かを判断する。制御部２１０は、通番が読込まれるまで、ステップＳ２２２の処理を繰返す。
【０１０６】
通番が読込まれたと判断した場合（ステップＳ２２２でＹＥＳの場合）、ステップＳ２２３で、読込まれた通番の耐久制電作業服１２の洗濯回数を加算する。次に、ステップＳ２２４で、制御部２１０は、図５および図６で説明した計測方法で、耐久制電作業服１２の制電性能を計測する。そして、ステップＳ２２５で、制御部２１０は、計測された計測値を外部記憶装置２６０に記憶させる。
【０１０７】
次いで、ステップＳ２２６で、制御部２１０は、計測された計測値をＩＣタグ１２１に書込むように、ＩＣリーダライタ２７０を制御する。さらに、ステップＳ２２７で、制御部２１０は、通番、洗濯回数、および、計測された計測値を含む計測データを繊維製品管理サーバ１００に送信するよう、通信部２５０を制御する。なお、この制電性能計測処理には示していないが、耐久制電作業服１２の表面状態および特記事項などのデータは、入力部２３０から入力されて、外部記憶装置２６０に記憶されて、計測データに含められる。
【０１０８】
ステップＳ２２８では、制御部２１０は、計測された制電性能の計測値が所定条件を満たすか否かを判断する。所定条件とは、図５で説明した表面抵抗率の範囲および図６で説明した表面電位の範囲の条件である。
【０１０９】
制電性能の計測値が所定条件を満たさないと判断した場合（ステップＳ２２８でＮＯの場合）、ステップＳ２２９で、制御部２１０は、制電性能の計測値が所定条件を満たさない耐久制電作業服１２の回収を指示するための回収指示情報、および、その耐久制電作業服１２の洗濯回数をディスプレイに表示するように、出力部２４０を制御する。
【０１１０】
制電性能の計測値が所定条件を満たすと判断した場合（ステップＳ２２８でＹＥＳの場合）、または、ステップＳ２２９の後、ステップＳ２３１で、制御部２１０は、「ＩＣデータ表示」の選択肢が選択されたか否かを判断する。「ＩＣデータ表示」の選択肢が選択されていないと判断した場合（ステップＳ２３１でＮＯの場合）、制御部２１０は、実行する処理をステップＳ２４１に進める。
【０１１１】
一方、「ＩＣデータ表示」の選択肢が選択されたと判断した場合（ステップＳ２３１でＹＥＳの場合）、ステップＳ２３２で、制御部２１０は、ＩＣタグ１２１からデータが読込まれたか否かを判断する。制御部２１０は、データが読込まれるまで、ステップＳ２３２の処理を繰返す。
【０１１２】
ＩＣタグ１２１からデータが読込まれたと判断した場合（ステップＳ２３２でＹＥＳの場合）、ステップＳ２３３で、制御部２１０は、ＩＣタグ１２１から読込まれたデータをディスプレイに表示するよう、出力部１４０を制御する。その後、制御部２１０は、実行する処理をステップＳ２４１に進める。
【０１１３】
図１２は、この発明の実施の形態における制電性能計測装置２００で表示される耐久制電作業服１２に関するＩＣタグ１２１から読込まれたデータの表示画面を示す表示画面図である。
【０１１４】
図１２を参照して、ステップＳ２３３で制電性能計測装置２００に表示される耐久制電作業服１２に関するＩＣタグ１２１から読込まれたデータの表示画面は、図９で説明した繊維製品管理サーバ１００に表示される耐久制電作業服１２に関するデータの表示画面から、予測残洗濯回数の欄、「前の通番へ」ボタン、および、「後の通番へ」ボタンを除いたものである。したがって、各表示データに関する説明は図９で説明したので、重複する説明は繰返さない。
【０１１５】
図１０に戻って、ステップＳ２４１で、制御部２１０は、「記憶データ表示」の選択肢が選択されたか否かを判断する。「記憶データ表示」の選択肢が選択されていないと判断した場合（ステップＳ２４１でＮＯの場合）、制御部２１０は、実行する処理をステップＳ２５１に進める。
【０１１６】
一方、「記憶データ表示」の選択肢が選択されたと判断した場合（ステップＳ２４１でＹＥＳの場合）、ステップＳ２４２で、制御部２１０は、外部記憶装置２６０に記憶されている耐久制電作業服１２に関するデータを読出す。そして、ステップＳ２４３で、制御部２１０は、読出したデータをディスプレイに表示するように、出力部２４０を制御する。ここで、表示される表示画面は、図９で説明した表示画面から、予測残選択回数の欄を除いた表示画面である。その後、制御部２１０は、実行する処理をステップＳ２５１に進める。
【０１１７】
ステップＳ２５１では、制御部２１０は、繊維製品管理サーバ１００から回収指示情報を受信したか否かを判断する。回収指示情報を受信したと判断した場合（ステップＳ２５１でＹＥＳの場合）、ステップＳ２５２で、制御部２１０は、制電性能の計測値が所定条件を満たさない耐久制電作業服１２の回収を指示するための回収指示情報、および、その耐久制電作業服１２の洗濯回数をディスプレイに表示するように、出力部２４０を制御する。
【０１１８】
回収指示情報を受信していないと判断した場合（ステップＳ２５１でＮＯの場合）、または、ステップＳ２５２の後、制御部２１０は、実行する処理をステップＳ２１１に戻す。
【０１１９】
以上説明したように、本実施の形態における繊維製品管理システム１によれば、図１および図１０のステップＳ２２４で説明したように、耐久制電作業服１２の制電性能を示す計測値が計測される。または、図３で説明したように、耐久制電作業服１２の制電性能を示す計測値が入力部２３０から入力される。図７のステップＳ１３５および図１０のステップＳ２２８で説明したように、計測または入力された制電性能の計測値が所定条件を満たしているか否かが判断される。
【０１２０】
図７のステップＳ１３７、図１０のステップＳ２５１、ステップＳ２５２、および、図１０のステップＳ２２９で説明したように、耐久制電作業服１２の制電性能を示す計測値が所定条件を満たしていないと判定されたときに、制電性能の計測値が所定条件を満たしていない旨が報知される。
【０１２１】
これにより、制電性能の計測値が所定条件を満たさない耐久制電作業服１２を半導体製造メーカ３０に提供しないようにできる。その結果、耐久制電作業服１２の性能を保証することができる。
【０１２２】
また、繊維製品管理システム１によれば、図１０のステップＳ２２５、および、図７のステップＳ１３２で説明したように、耐久制電作業服１２の洗濯回数が耐久制電作業服１２を識別するための通番と対応されて記憶される。図１０のステップＳ２２３で説明したように、耐久制電作業服１２の洗濯ごとに、この耐久制電作業服１２の通番に対応して記憶されている洗濯回数が加算される。図１０のステップＳ２２９、および、ステップＳ２５２で説明したように、所定条件を満たしていない制電性能の計測値に対応する通番に対応して記憶されている洗濯回数がさらに報知される。
【０１２３】
これにより、洗濯回数が予め保証されている洗濯回数を満たしているか否かを確認することができる。
【０１２４】
また、繊維製品管理システム１によれば、図１０のステップＳ２２４で説明したように、耐久制電作業服１２の制電性能の計測値が洗濯ごとに計測される。または、図３で説明したように、耐久制電作業服１２の耐電性能の計測値が洗濯ごとに入力部２３０から入力される。図１０のステップＳ２２５、および、図７のステップＳ１３２で説明したように、計測または入力された制電性能の計測値がこの耐久制電作業服１２を識別可能なように、それぞれ、外部記憶装置２６０および繊維製品ＤＢ１６１に記憶される。
【０１２５】
このように、耐久制電作業服１２ごとに洗濯ごとの制電性能の計測値を後で確認することができる。
【０１２６】
また、繊維製品管理システム１によれば、図１で説明したように、ＩＣタグ１２１が耐久制電作業服１２に取り付けられることにより、この耐久制電作業服１２を識別可能である。
【０１２７】
このように、繊維製品管理サーバ１００や制電性能計測装置２００側に耐電性能の計測値を記憶しておかなくても、計測された制電性能の計測値をこの耐久制電作業服１２を識別可能なように記憶しておくことができる。
【０１２８】
また、繊維製品管理システム１によれば、図７のステップＳ１３３で説明したように、記憶された洗濯ごとの制電性能の計測値に基づいて、制電性能の計測値の統計値が算出される。
【０１２９】
このように、耐久制電作業服１２の制電性能の計測値の統計的に解析可能なデータを提供することができる。
【０１３０】
また、繊維製品管理システム１によれば、図７のステップＳ１３７で説明したように、繊維製品ＤＢ１６１に記憶された洗濯ごとの制電性能の計測値に基づいて、制電性能の計測値が所定条件を満たさなくなるまでの当該耐久制電作業服１２の残洗濯回数が予測される。
【０１３１】
このように、制電性能の計測値が所定条件を満たさなくなるまでの繊維製品ごとの残洗濯回数を予測することができる。
【０１３２】
また、繊維製品管理システム１によれば、図７のステップＳ１４３、および、図９で説明したように、予測された残洗濯回数および当該残洗濯回数に対応する耐久制電作業服１２を特定する通番が報知される。
【０１３３】
このように、耐久制電作業服１２ごとの残洗濯回数を報知することができる。
また、繊維製品管理システム１によれば、図７のステップＳ１３９で説明したように、予測された残洗濯回数が所定回数未満となった耐久制電作業服１２が発注される。
【０１３４】
このように、制電性能の計測値が所定条件を満たさなくなる前に予め耐久制電作業服１２を製造しておくことができる。
【０１３５】
また、この繊維製品管理システム１は、制電性能の劣化が緩やかな耐久制電作業服１２などの繊維製品の管理に特に適している。制電性能の劣化が緩やかな場合は、繊維製品の寿命の分散が大きくなるため、このような繊維製品管理システム１を用いて、繊維製品を管理することにより、長くなった寿命をさらに有効に利用することができるからである。
【０１３６】
なお、本実施の形態においては、繊維製品管理サーバ１００と制電性能計測装置２００とを含む繊維製品管理システム１として発明を説明したが、繊維製品管理サーバ１００と制電性能計測装置２００とが１つの繊維製品管理装置に含まれるようにしてもよい。
【０１３７】
また、本実施の形態においては、繊維製品管理システム１として発明を説明したが、図７の繊維製品管理処理および図１０の制電性能計測処理を繊維製品管理システム１または繊維製品管理装置で実行する繊維製品管理方法、および、図７の繊維製品管理処理または図１０の制電性能計測処理を繊維製品管理装置に実行させる繊維製品管理プログラムとして発明を捉えることができる。
【０１３８】
また、本実施の形態においては、洗濯後に耐久制電作業服１２の制電性能が計測されるようにしたが、これに限定されず、洗濯前に耐久制電作業服１２の制電性能が計測されるようにしてもよい。
【０１３９】
また、本実施の形態においては、ステップＳ２２７で、計測データに耐久制電作業服１２のユーザである半導体製造メーカ３０に関する情報や、半導体製造メーカ３０がどのような製造分野や製造方法にその耐久制電作業服１２を用いているかを示す情報や、耐久制電作業服１２が廃棄された場合にその廃棄理由を示す情報などが含まれるようにしてもよい。
【０１４０】
また、本実施の形態においては、繊維製品管理サーバ１００の繊維製品ＤＢ１６１、制電性能計測装置２００の外部記憶装置２６０、および、ＩＣタグ１２１に、耐久制電作業服１２に関する情報を記憶させるようにした。しかし、これに限定されず、ＩＣタグ１２１を耐久制電作業服１２に取り付けずに、繊維製品ＤＢ１６１および外部記憶装置２６０に耐久制電作業服１２に関する情報を記憶させるようにしてもよいし、繊維製品ＤＢ１６１または外部記憶装置２６０に耐久制電作業服１２に関する情報を記憶させるようにしてもよい。
【０１４１】
また、本実施の形態においては、耐久制電作業服１２を特定するための通番をＩＣタグ１２１に記憶させるようにした。しかし、これに限定されず、耐久制電作業服１２を特定するための特定情報をバーコードや番号表示タグとして耐久制電作業服１２に付するようにしてもよい。
【０１４２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１４３】
【図１】この発明の実施の形態における繊維製品管理システムの構成の概略を示す図である。
【図２】この発明の実施の形態における繊維製品管理サーバの構成の概略を示すブロック図である。
【図３】この発明の実施の形態における制電性能計測装置の構成の概略を示すブロック図である。
【図４】この発明の実施の形態におけるパーソナルコンピュータの構成の概略を示すブロック図である。
【図５】この発明の実施の形態における耐久制電作業服の洗濯処理回数と表面抵抗率との関係の一例を示すグラフである。
【図６】この発明の実施の形態における耐久制電作業服の洗濯処理回数と表面電位との関係の一例を示すグラフである。
【図７】この発明の実施の形態における繊維製品管理サーバで実行される繊維製品管理処理の流れを示すフローチャートである。
【図８】この発明の実施の形態における繊維製品管理処理のメニューを示す表示画面図である。
【図９】この発明の実施の形態における繊維製品管理処理で表示される耐久制電作業服に関するデータを示す表示画面図である。
【図１０】この発明の実施の形態における制電性能計測装置で実行される制電性能計測処理の流れを示すフローチャートである。
【図１１】この発明の実施の形態における繊維製品計測処理のメニューを示す表示画面図である。
【図１２】この発明の実施の形態における制電性能計測装置で表示される耐久制電作業服に関するＩＣタグから読込まれたデータの表示画面を示す表示画面図である。
【符号の説明】
【０１４４】
１  繊維製品管理システム、１０  繊維製品製造業者、１１  布帛、１２  耐久制電作業服、２０  リネン業者、３０  半導体製造メーカ、１００  繊維製品管理サーバ、１１０  制御部、１２０  記憶部、１２１  ＩＣタグ、１３０  入力部、１４０  出力部、１５０  通信部、１６０  外部記憶装置、１６１  繊維製品ＤＢ、１７０  ＩＣリーダライタ、２００  制電性能計測装置、２１０  制御部、２２０  記憶部、２３０  入力部、２３１  計測部、２４０  出力部、２５０  通信部、２６０  外部記憶装置、２７０  ＩＣリーダライタ、３００  ＰＣ、３１０  制御部、３２０  記憶部、３３０  入力部、３４０  出力部、３５０  通信部、３６０  外部記憶装置、５００  ネットワーク。
【図１】
0004595722.tif 000002
【図２】
0004595722.tif 000003
【図３】
0004595722.tif 000004
【図４】
0004595722.tif 000005
【図５】
0004595722.tif 000006
【図６】
0004595722.tif 000007
【図７】
0004595722.tif 000008
【図８】
0004595722.tif 000009
【図９】
0004595722.tif 000010
【図１０】
0004595722.tif 000011
【図１１】
0004595722.tif 000012
【図１２】
0004595722.tif 000013